(57)【要約】【課題】街角等に設置されているカメラにおいて、すべての人の映像を無差別に取得して、その場、または遠隔の出力装置に出力するために、犯罪防止などの効果がある一方、肖像権やプライバシーの侵害が問題になり得る、という課題があった。【解決手段】個人識別子格納装置と撮影装置と情報処理装置を具備する情報処理システムであって、個人識別子格納装置は、個人を識別する情報である個人識別子を格納しており、撮影装置は、映像を撮影し、受信した個人識別子に基づく認証結果情報を取得し、撮影した映像を送信し、認証結果情報に基づいて、撮影する映像、または／および送信する映像が異なり、情報処理装置は、映像を受信し、蓄積する情報処理システムであり、かかる情報処理システムにより、プライバシーや肖像権が担保され得る。【選択図】  図２
2004274447.tif 000002
【特許請求の範囲】
【請求項１】
個人識別子格納装置と撮影装置と情報処理装置を具備する情報処理システムであって、
前記個人識別子格納装置は、
個人を識別する情報である個人識別子を格納しており、
前記撮影装置は、
映像を撮影する映像撮影部と
前記個人識別子格納装置から個人識別子を取得する個人識別子取得部と、
前記個人識別子に基づく認証結果に関する情報である認証結果情報を取得する認証結果情報取得部と、
前記映像撮影部が撮影する映像を送信する映像送信部を具備し、
前記認証結果情報によって前記映像送信部が送信する映像が異なり、
前記情報処理装置は、
前記映像を受信する映像受信部と、
前記映像を蓄積する映像蓄積部を具備する情報処理システム。
【請求項２】
前記撮影装置は、
個人識別子を予め決められた装置に送信する個人識別子送信部をさらに具備し、前記認証結果情報取得部は、前記予め決められた装置から認証結果情報を受信する請求項１記載の情報処理システム。
【請求項３】
前記撮影装置は、
１以上の個人識別子を有する認証情報を格納している認証情報格納部をさらに具備し、
前記認証結果情報取得部は、前記個人識別子取得部が取得した個人識別子と前記認証情報に基づいて認証を行い、認証結果情報を取得する請求項１記載の情報処理システム。
【請求項４】
前記認証結果情報に基づいて、前記映像撮影部は撮影を開始する、または／および停止する請求項１から請求項３いずれか記載の情報処理システム。
【請求項５】
前記認証結果情報に基づいて、前記映像撮影部はカメラの向きを変更する請求項１から請求項３いずれか記載の情報処理システム。
【請求項６】
前記撮影装置または情報処理装置は、
前記認証結果情報に基づいて、前記映像を画像処理する請求項１から請求項３いずれか記載の情報処理システム。
【請求項７】
前記撮影装置は、
前記認証結果情報に基づいて、別の映像を前記情報処理装置に送信する請求項１から請求項３いずれか記載の情報処理システム。
【請求項８】
前記情報処理装置は、
前記認証結果情報に基づいて、別の映像を蓄積する請求項１から請求項３いずれか記載の情報処理システム。
【請求項９】
前記情報処理装置は、
さらに映像を出力する請求項１から請求項８いずれか記載の情報処理システム。
【請求項１０】
コンピュータに、
個人識別子を取得する個人識別子取得ステップと、
前記映像撮影ステップで撮影する映像を送信する映像送信ステップと、
前記個人識別子に基づく認証結果に関する情報である認証結果情報に基づいて映像の撮影を制御する制御ステップを実行させるためのプログラム。
【請求項１１】
コンピュータに、
映像を受信する映像受信ステップと、
前記映像受信ステップで受信した映像を蓄積する映像蓄積ステップと、
個人識別子を受信する個人識別子受信ステップと、
前記個人識別子受信ステップで受信した個人識別子を認証する認証ステップと、
前記認証ステップにおける認証結果の情報である認証結果情報を送信する認証結果情報送信ステップを実行させるためのプログラム。
【請求項１２】
コンピュータに、
個人識別子を取得する個人識別子取得ステップと、
前記個人識別子を認証する認証ステップと、
撮影された映像を送信する映像送信ステップと、
前記認証ステップにおける認証結果に基づいて映像の撮影を制御する制御ステップを実行させるためのプログラム。
【請求項１３】
取得した個人識別子の認証結果に基づいて、撮影を制御する撮影装置。
【発明の詳細な説明】
【０００１】
【発明の属する技術分野】
本発明は、カメラ等の撮影装置、特に、街角等に設置されている映像装置で撮影した映像を、個人認証結果に基づいて処理する情報処理システム等に関する。
【０００２】
【従来の技術】
従来、インターネットを利用して、ある地点のカメラ映像を取得し、出力できるシステムが存在し、サービスが実施されている（非特許文献１）。かかるシステムにより、ある地点の様子が遠隔からでも分かり、旅行にでも行ったような気分が味わえたり、犯罪の防止や犯罪の捜査に役立ったりする場合等もある。
【０００３】
また、関連する技術として、映像を撮影されるユーザを照合する装置として、以下の装置があった（特許文献１参照）。この装置は、被験者の映像を撮影する撮影部と、撮影部で撮影した画像データから被験者の生態的特徴を抽出し、当該生態的特徴に基づいて、被験者を照合する照合部と、被験者の生態的特徴を含む映像を表示することなく、照合部での照合結果を表示する表示部と、被験者の映像を撮影部に反射し、表示部の表示を透過する分光部とを備え、分光部を被験者と表示部の間に設置することを特徴とする個人識別装置である。本装置により、被験者の映像を撮影する時に、被験者の不快感を減らす個人識別装置が実現できる。
【０００４】
【非特許文献１】
札幌テレビ放送ホームページ、インターネット＜ｈｔｔｐ：／／ｗｗｗ．ｓｔｖ．ｎｅ．ｊｐ／ｗｅｂｃａｍ／ｏｔａｒｕｕｎｇａ／ｉｎｄｅｘ．ｈｔｍｌ＞
【特許文献１】
特開２０００−２９３６６３号公報（第１頁、第１図等）
【０００５】
【発明が解決しようとする課題】
しかしながら、非特許文献１におけるシステムのように、街角等に設置されているカメラにおいて、すべての人の映像を無差別に取得して、その場、または遠隔の出力装置に出力するために、犯罪防止などの効果がある一方、肖像権やプライバシーの侵害が問題になり得る。一方、著名な人や、個人情報を登録し、管理されている人は、犯罪をおかす割合いが少ないので、かかる人々を検知した場合には、わざわざ、そのままの映像を取得しておく必要もない。犯罪捜査などの場合には、別途、管理されている登録された情報をチェックすれば十分だからである。
【０００６】
【課題を解決するための手段】
そこで、本発明は、個人識別子格納装置と撮影装置と情報処理装置を具備する情報処理システムであって、個人識別子格納装置は、個人を識別する情報である個人識別子を格納しており、撮影装置は、映像を撮影する映像撮影部と個人識別子を受信する個人識別子取得部と、個人識別子に基づく認証結果に関する情報である認証結果情報を取得する認証結果情報取得部と、映像撮影部が撮影する映像を送信する映像送信部を具備し、認証結果情報によって映像送信部が送信する映像が異なり、情報処理装置は、映像を受信する映像受信部と、映像を蓄積する映像蓄積部を具備する情報処理システムであり、かかる情報処理システムにより、プライバシーや肖像権が担保され得る。
【０００７】
なお、上記の「認証結果情報によって映像送信部が送信する映像が異なる」とは、認証結果情報が、例えば、「許可」の場合と、「不許可」の場合で、映像送信部が送信する映像が、結果的に異なる、という意義である。結果的に異なる、というのは、映像撮影部が異なる映像を取得しても良いし、撮影装置が映像を画像処理するなどして、異なる映像となっても良い。また、「認証結果情報によって映像送信部が送信する映像が異なる」とは、認証結果情報によって映像送信部が映像を送信したり、送信しなかったりする場合も含む。
また、上記特許文献１の技術は、本発明とは、目的や効果が全く異なる。
【０００８】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【０００９】
（実施の形態１）
図１は、本発明の実施の形態における情報処理システムの概念図である。本情報処理システムは、個人識別子格納装置１１と撮影装置１２と情報処理装置１３を具備する。個人識別子格納装置１１は、ユーザが携帯する装置（ＩＣカード、無線タグが貼付されたカードなども含む）であり、個人を識別する情報である個人識別子を格納している。撮影装置１２は、いわゆるカメラであり、特に、街角等に設置されているカメラが好適である。撮影装置１２が撮影する情報は、動画でも静止画でも構わない。また、撮影装置１２は、音声を取得しても良い。情報処理装置１３は、個人認証を行い、かつ、撮影装置１２が撮影した情報を受信し、蓄積する。
【００１０】
図２は、本情報処理システムのブロック図である。個人識別子格納装置１１は、個人識別子格納部１１０１、個人識別子送信部１１０２を具備する。
【００１１】
撮影装置１２は、映像撮影部１２０１、個人識別子取得部１２０２、第二個人識別子送信部１２０３、認証結果情報取得部１２０４、制御部１２０５、映像送信部１２０６を具備する。
【００１２】
情報処理装置１３は、個人識別子受信部１３０１、認証情報格納部１３０２、認証部１３０３、認証結果情報送信部１３０４、映像受信部１３０５、映像蓄積部１３０６を具備する。
【００１３】
個人識別子格納部１１０１は、個人識別子を格納している。個人識別子は、例えば、携帯電話の電話番号である。また、個人識別子は、例えば、個人に付与されたＩＤである。また、個人識別子は、例えば、個人識別子格納装置１１のＩＰアドレス等でも良い。個人識別子は、装置を識別する情報でも良く、かかる場合、個人識別子は、間接的にその所有者等の個人を識別する情報である、と言える。その他、個人識別子は、個人を識別することができる情報であれば何でも良く、そのデータ構造等も問わない。個人識別子格納部１１０１は、不揮発性の記録媒体が好適であるが、揮発性の記録媒体でも実現可能である。個人識別子格納部１１０１は、無線タグでも良い。
【００１４】
個人識別子送信部１１０２は、個人識別子格納部１１０１の個人識別子を送信する。個人識別子送信部１１０２は、無線の通信手段が好適であるが、放送手段でも実現可能である。なお、個人識別子格納装置１１が、受動的に個人識別子を取得される場合もあり得、かかる場合、個人識別子送信部１１０２は存在しない。つまり、個人識別子送信部１１０２は、必須の構成要素ではない。
【００１５】
映像撮影部１２０１は、映像を撮影する。映像撮影部１２０１は、例えば、いわゆるビデオムービーである。また、映像撮影部１２０１は、音声をも取得しても良い。
【００１６】
個人識別子取得部１２０２は、個人識別子格納装置１１から個人識別子を取得する。個人識別子取得部１２０２は、近距離の無線通信手段が好適であるが、放送を受信する手段でも実現可能である。個人識別子取得部１２０２は、無線タグリーダーでも良い。個人識別子取得部１２０２は、画像を取得し、画像処理により個人識別子を得る機能をするソフトェアまたは／およびハードウェアでも良い。また、個人識別子取得部１２０２は、バーコードリーダーでも良い。かかる場合、個人識別子格納装置１１に貼付されたバーコードが個人識別子を示す。
【００１７】
第二個人識別子送信部１２０３は、個人識別子取得部１２０２が受信した個人識別子を情報処理装置１３に送信する。なお、第二個人識別子送信部１２０３は、２以上の個人識別子を同時に送信しても良い。第二個人識別子送信部１２０３は、通常、無線または有線の通信手段で実現されるが、放送手段で実現されても良い。
【００１８】
認証結果情報取得部１２０４は、第二個人識別子送信部１２０３の個人識別子の送信に対応して、情報処理装置１３から認証結果情報を受信する。認証結果情報とは、第二個人識別子送信部１２０３が送信した１以上の個人識別子の認証の結果を示す情報である。認証結果情報は、例えば、「許可」または「不許可」を示す情報である。認証結果情報の内容、データ構造等は種々考えられ、問わない。認証結果情報取得部１２０４は、ここでは、無線または有線の通信手段で実現されるが、放送を受信する手段で実現されても良い。なお、認証結果情報が「許可」とは、通常、個人識別子が登録されておらず、通常の状態での撮影が許可されることを言う。一方、認証結果情報が「不許可」とは、通常、個人識別子が登録されており、通常の状態での撮影が許可されないことを言う。
【００１９】
制御部１２０５は、認証結果情報取得部１２０４が取得した認証結果情報に基づいて、映像撮影部１２０１の撮影の制御を行う。制御を行うとは、映像撮影部１２０１に撮影の開始を指示する、または／および撮影の停止を指示するなどの処理を言う。制御部１２０５は、通常、ＭＰＵやメモリ等から実現され得る。制御部１２０５の処理手順は、通常、ソフトウェアで実現され、当該ソフトウェアはＲＯＭ等の記録媒体に記録されている。但し、ハードウェア（専用回路）で実現しても良い。
【００２０】
映像送信部１２０６は、映像撮影部１２０１が撮影した映像または、映像と音声を、情報処理装置１３に送信する。映像送信部１２０６は、情報処理装置１３のＩＰアドレス等を予め保持している。映像送信部１２０６は、通常、無線または有線の通信手段で実現されるが、放送手段で実現されても良い。
【００２１】
個人識別子受信部１３０１は、撮影装置１２から１以上の個人識別子を受信する。個人識別子受信部１３０１は、通常、無線または有線の通信手段で実現されるが、放送を受信する手段で実現されても良い。
【００２２】
認証情報格納部１３０２は、認証を行うための情報である認証情報を格納している。認証情報は、例えば、１以上の個人識別子である。ただし、認証情報の内容やデータ構造等は問わない。認証情報格納部１３０２は、不揮発性の記録媒体が好適であるが、揮発性の記録媒体でも実現可能である。
【００２３】
認証部１３０３は、個人識別子受信部１３０１が受信した１以上の個人識別子を、認証情報格納部１３０２の認証情報に基づいて、認証を行う。認証を行うとは、認証結果情報を生成する、または、認証結果情報を選択する等の処理である。認証部１３０３の認証アルゴリズムは問わない。認証部１３０３は、通常、ＭＰＵやメモリ等から実現され得る。認証部１３０３の処理手順は、通常、ソフトウェアで実現され、当該ソフトウェアはＲＯＭ等の記録媒体に記録されている。但し、ハードウェア（専用回路）で実現しても良い。
【００２４】
認証結果情報送信部１３０４は、認証部１３０３が行った認証の結果を示す情報である認証結果情報を撮影装置１２に送信する。
【００２５】
映像受信部１３０５は、撮影装置１２から映像、または映像と音声を受信する。映像受信部１３０５は、通常、無線または有線の通信手段で実現されるが、放送を受信する手段で実現されても良い。
【００２６】
映像蓄積部１３０６は、映像受信部１３０５が受信した映像、または映像と音声を蓄積する。映像蓄積部１３０６が映像等を蓄積する媒体は、例えば、ハードディスクや光ディスク等である。映像蓄積部１３０６が映像等を蓄積する媒体は、情報処理装置１３に内蔵のものでも、外付けのものでも良い。映像蓄積部１３０６は、通常、ＭＰＵやメモリ等から実現され得る。映像蓄積部１３０６が情報を蓄積するための処理手順は、通常、ソフトウェアで実現され、当該ソフトウェアはＲＯＭ等の記録媒体に記録されている。但し、ハードウェア（専用回路）で実現しても良い。
【００２７】
以下、本情報処理システムの動作について説明する。まず、個人識別子格納装置１１の動作について説明する。個人識別子格納装置１１は、例えば、常時、個人識別子を送信する。また、個人識別子格納装置１１は、例えば、撮影装置１２からの指示（信号）により、個人識別子を送信する。また、個人識別子格納装置１１は、例えば、個人識別子を保持しているだけでも良い。かかる場合、撮影装置１２が、自発的に個人識別子を取得する。
【００２８】
次に、撮影装置１２の動作について図３のフローチャートを用いて説明する。なお、ここでは、常時、撮影装置１２は動作し、映像を撮影している、とする。そして、図３のフローチャートで説明する動作は、撮影中における動作である。
【００２９】
（ステップＳ３０１）個人識別子取得部１２０２は、個人識別子を取得したか否かを判断する。個人識別子を取得すればステップＳ３０２に行き、個人識別子を取得しなければステップＳ３０１に戻る。
【００３０】
（ステップＳ３０２）第二個人識別子送信部１２０３は、ステップＳ３０１で受信した個人識別子を情報処理装置１３に送信する。
【００３１】
（ステップＳ３０３）認証結果情報取得部１２０４は、情報処理装置１３から認証結果情報を受信したか否かを判断する。認証結果情報を受信すればステップＳ３０４に行き、認証結果情報を受信しなければステップＳ３０３に戻る。
【００３２】
（ステップＳ３０４）制御部１２０５は、ステップＳ３０３で受信した認証結果情報が「許可」を示す情報であるか否かを判断する。認証結果情報が「許可」を示す情報であればステップＳ３０５に行き、「許可」を示す情報でなければ処理を終了する。なお、処理の終了は、継続して映像を取得し、当該映像を情報処理装置１３に送信することを示す。
【００３３】
（ステップＳ３０５）制御部１２０５は、映像撮影部１２０１に、予め決められた指示をする。この指示とは、例えば、撮影を停止する指示である。また、この指示とは、撮影を開始する指示でも良い。また、指示とは、カメラの向きを変更する指示でも良い。さらに、指示とは、映像撮影部１２０１が撮影した映像を画像処理する指示でも良い。画像処理とは、例えば、モザイクやぼかしを入れる処理等である。また、指示とは、例えば、映像送信部１２０６に、予め格納されている映像（動画または静止画）を送信する指示でも良い。処理を終了する。処理の終了とは、通常の処理に移行することであり、通常の処理とは、映像を取得し、当該映像を情報処理装置１３に送信することである。
【００３４】
次に、情報処理装置１３の動作について図４のフローチャートを用いて説明する。
【００３５】
（ステップＳ４０１）個人識別子受信部１３０１は、個人識別子を受信したか否かを判断する。個人識別子を受信すればステップＳ４０２に行き、個人識別子を受信しなければステップＳ４０７に行く。
【００３６】
（ステップＳ４０２）認証部１３０３は、ステップＳ４０１で受信した個人識別子が、認証情報格納部１３０２の認証情報の中に格納されているか否かを検索する。
【００３７】
（ステップＳ４０３）認証部１３０３は、ステップＳ４０２における検索結果から、ステップＳ４０１で受信した個人識別子が管理された個人識別子であるか否かを判断する。個人識別子が管理された個人識別子であればステップＳ４０４に行き、個人識別子が管理された個人識別子でなければステップＳ４０５に飛ぶ。
【００３８】
（ステップＳ４０４）認証部１３０３は、認証結果情報に「許可」を代入する。
【００３９】
（ステップＳ４０５）認証部１３０３は、認証結果情報に「不許可」を代入する。
【００４０】
（ステップＳ４０６）認証結果情報送信部１３０４は、認証結果情報を撮影装置１２に送信する。ステップＳ４０に戻る。
【００４１】
（ステップＳ４０７）映像受信部１３０５は、映像等を受信したか否かを判断する。映像等を受信すればステップＳ４０８に行き、映像等を受信しなければステップＳ４０１に戻る。
【００４２】
（ステップＳ４０８）映像蓄積部１３０６は、ステップＳ４０７で受信した映像等を蓄積する。ステップＳ４０１に戻る。
【００４３】
なお、図４のフローチャートにおいて、電源オフや処理終了の割り込みにより処理は終了する。
【００４４】
以下、本実施の形態における情報処理システムの具体的な動作について説明する。情報処理システムの概念図は図１である。
【００４５】
今、街角に撮影装置１２（カメラ）が設置されている。また、情報処理装置１３は、図５に示す認証情報管理表を保持している。認証情報管理表は、「ＩＤ」「個人識別子」を有するレコードを１以上管理している。「ＩＤ」は、レコードを識別する情報であり、表管理上の要請のために存在する。「個人識別子」は、個人情報を登録したユーザの個人識別子である。個人情報は、例えば、個人の写真の画像や、経歴や、住所、氏名、勤務場所などの情報である。認証情報管理表で個人識別子が管理されている個人は、個人情報が管理されているので、犯罪を行ったなどの場合には、すぐに当該個人の情報が手に入る。ここでの例において、情報が手に入らない人のみ、撮影装置１２は映像を撮影し、情報処理装置１３に送信する。
【００４６】
かかる状態において、通常、撮影装置１２は、常時、映像を撮影し、情報処理装置１３に送信している。情報処理装置１３は、受信した映像を蓄積している。また、あるユーザが「０５０−７８６５−１２３５」の電話番号（個人識別子）を有する個人識別子格納装置１１（携帯電話）を保持している。そして、本携帯電話は、近距離無線通信手段を具備しており、当該近距離無線通信手段で、常時、個人識別子「０５０−７８６５−１２３５」を送信している。
【００４７】
次に、撮影装置１２は、個人識別子「０５０−７８６５−１２３５」を受信した、とする。かかる場合、撮影装置１２は、個人識別子「０５０−７８６５−１２３５」を情報処理装置１３に送信する。
【００４８】
次に、情報処理装置１３は、個人識別子「０５０−７８６５−１２３５」を受信し、認証する。つまり、図５の認証情報管理表が個人識別子「０５０−７８６５−１２３５」を管理しているか否かを判断する。ここで、認証情報管理表は個人識別子「０５０−７８６５−１２３５」を管理しているので、認証結果情報は「許可」となり、当該認証結果情報は撮影装置１２に送信される。
【００４９】
次に、撮影装置１２は、「許可」の認証結果情報を受信し、当該認証結果情報に基づいて、撮影を中断する。かかる処理により、登録したユーザのプライバシーや肖像権は保護される。なお、中断後、一定時間の経過後、撮影は再開される。
【００５０】
以上、本実施の形態によれば、個人認証によって、撮影装置が撮影する映像を変化させることができ、個人のプライバシーや肖像権が保護され得る。
【００５１】
なお、本実施の形態によれば、認証結果情報に基づいて撮影を中断したが、撮影を開始しても良い。また、認証結果情報に基づいて、情報処理装置における映像の蓄積を行わなかったりしても良い。さらに、認証結果情報に基づいて、カメラの向きを自動的に変更しても良い。カメラの向きを変更する技術は、公知技術であるので詳細な説明は省略する。また、認証結果情報に基づいて、カメラのカバーを開閉しても良い。また、認証結果情報に基づいて、撮影した映像を画像処理しても良い。画像処理とは、モザイク処理やぼかしの処理等である。モザイク処理やぼかしの処理等を行う技術は、公知技術であるので詳細な説明は省略する。その他、認証結果情報に基づいて、撮影装置が撮影する映像、または情報処理装置が受信する映像、または情報処理装置が蓄積する映像が変化する態様は、何でも良い。つまり、プライバシーが担保されるような態様であれば何でも良い。かかることは、他の実施の形態において同様である。なお、本情報処理システムを家庭内の見守りサービスに適用することでプライバシーの保護を実現できる。かかることは、他の実施の形態においても同様である。
【００５２】
また、本実施の形態において、撮影装置が設置される場所は問わないことは言うまでもない。かかることも、他の実施の形態において同様である。
【００５３】
また、本実施の形態によれば、情報処理装置が認証を行ったが、撮影装置が認証を行っても良い。撮影装置が認証を行う場合は、撮影装置が認証情報を保持している。つまり、認証を行う装置は、問わない。かかることも、他の実施の形態において同様である。
【００５４】
また、本実施の形態によれば、情報処理装置が映像の蓄積処理と、個人識別子の認証処理を行ったが、蓄積処理と認証処理は、異なる装置で行っても良い。かかることも、他の実施の形態において同様である。
【００５５】
また、本実施の形態によれば、情報処理装置が映像の蓄積処理を行ったが、撮影装置が撮影した映像を蓄積するだけでも良い。つまり、撮影装置は、取得した個人識別子の認証結果に基づいて、撮影を制御すれば良い。撮影の制御とは、撮影の開始、停止、画像処理（モザイク、ぼかしなど）、上述したような処理をすべて含む概念である。なお、かかる場合、認証を撮影装置が行えば、情報処理装置は必要ではなく、撮影装置のみの構成となり得る。かかることも、他の実施の形態において同様である。
【００５６】
また、本実施の形態において、情報処理装置は蓄積した映像等を、出力したり、他の装置に送信したりなど、種々の処理が行えても良いことは、言うまでもない。映像を出力する場合には、蓄積とは、一時的な蓄積でも良い。かかることも、他の実施の形態において同様である。
【００５７】
また、本実施の形態によれば、一の個人識別子の認証結果に応じてカメラの撮影制御や撮影した画像の処理等を行ったが、複数の個人識別子の認証結果に応じてカメラの撮影制御や撮影した画像の処理等を行っても良い。つまり、例えば、ＡさんとＢさんが共に認識できれば撮影を中止する、または、ＡさんとＢさんのどちらか一方を認識できれば画像にモザイクをかける等の処理を行っても良い。かかることも、他の実施の形態において同様である。
【００５８】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における撮影装置を実現するソフトウェアは、以下のようなプログラムである。つまり、このプログラムは、コンピュータに、個人識別子を取得する個人識別子取得ステップと、映像撮影ステップで撮影する映像を送信する映像送信ステップと、個人識別子に対する認証の結果を示す情報である認証結果情報に基づいて映像の撮影を制御する制御ステップを実行させるためのプログラム、である。また、本実施の形態における情報処理装置を実現するソフトウェアは、以下のようなプログラムである。つまり、このプログラムは、コンピュータに、映像を受信する映像受信ステップと、当該映像を蓄積する映像蓄積ステップと、個人識別子を受信する個人識別子受信ステップと、当該個人識別子を認証する認証ステップと、当該認証ステップにおける認証結果の情報である認証結果情報を送信する認証結果情報送信ステップを実行させるためのプログラム、である。
【００５９】
（実施の形態２）
図１は、本発明の実施の形態における情報処理システムの概念図である。本発明の実施の形態において、個人識別子の認証は、撮影装置で行い、情報処理装置は、映像等を受信して、蓄積するだけである。
【００６０】
図６は、本情報処理システムのブロック図である。本情報処理システムは、個人識別子格納装置１１と撮影装置６２と情報処理装置６３を具備する。
【００６１】
撮影装置６２は、映像撮影部１２０１、個人識別子取得部１２０２、認証情報格納部６２０１、認証部６２０２、制御部６２０３、映像送信部１２０６を具備する。
【００６２】
情報処理装置６３は、映像受信部１３０５、映像蓄積部１３０６を具備する。
【００６３】
認証情報格納部６２０１は、認証を行うための情報である認証情報を格納している。認証情報は、例えば、１以上の個人識別子である。ただし、認証情報の内容やデータ構造等は問わない。認証情報格納部６２０１は、不揮発性の記録媒体が好適であるが、揮発性の記録媒体でも実現可能である。
【００６４】
認証部６２０２は、個人識別子取得部１２０２が取得した１以上の個人識別子を、認証情報格納部６２０１の認証情報に基づいて、認証を行う。認証部６２０２の認証アルゴリズムは問わない。認証部６２０２は、通常、ＭＰＵやメモリ等から実現され得る。認証部６２０２の処理手順は、通常、ソフトウェアで実現され、当該ソフトウェアはＲＯＭ等の記録媒体に記録されている。但し、ハードウェア（専用回路）で実現しても良い。
【００６５】
制御部６２０３は、認証部６２０２の認証結果の情報である認証結果情報に基づいて、映像撮影部１２０１の撮影の制御を行う。制御を行うとは、映像撮影部１２０１に撮影の開始を指示する、または／および撮影の停止を指示するなどの処理を言う。撮影の停止の方法は、電源オフ、シャッターを閉じるなど種々あり得る。制御部６２０３は、通常、ＭＰＵやメモリ等から実現され得る。制御部６２０３の処理手順は、通常、ソフトウェアで実現され、当該ソフトウェアはＲＯＭ等の記録媒体に記録されている。但し、ハードウェア（専用回路）で実現しても良い。
【００６６】
以下、本情報処理システムの動作について説明する。まず、撮影装置６２の動作について図７のフローチャートを用いて説明する。
【００６７】
（ステップＳ７０１）映像撮影部１２０１は、映像を取得する。なお、音声も取得しても良い。そして、映像撮影部１２０１は、継続して撮影する。
【００６８】
（ステップＳ７０２）個人識別子取得部１２０２は、個人識別子を取得したか否かを判断する。個人識別子を取得すればステップＳ７０２に行き、個人識別子を取得しなければステップＳ７０１に戻る。
【００６９】
（ステップＳ７０３）認証部６２０２は、ステップＳ７０１で取得した個人識別子の認証を行う。認証結果を示す情報は認証結果情報であり、ステップＳ７０２の処理の結果、認証結果情報に「許可」または「不許可」の情報が入る、とする。
【００７０】
（ステップＳ７０４）制御部６２０３は、ステップＳ７０３における認証結果情報が「許可」であるか否かを判断する。認証結果情報が「許可」であればステップＳ７０５に行き、認証結果情報が「許可」でなければステップＳ７０６に飛ぶ。
【００７１】
（ステップＳ７０５）制御部６２０３は、ステップＳ７０１で取得した映像を画像処理する。画像処理とは、例えば、モザイク処理やぼかしの処理である。その他、プライバシーを担保する処理であれば良い。
【００７２】
（ステップＳ７０６）映像送信部１２０６は、映像を情報処理装置６３に送信する。かかる映像は、画像処理された映像や、通常の映像である。
【００７３】
なお、図７のフローチャートにおいて、電源オフや処理終了の割り込みにより処理は終了する。
【００７４】
以下、本実施の形態における情報処理システムの具体的な動作について説明する。情報処理システムの概念図は図１である。
【００７５】
今、街角に撮影装置６２（カメラ）が設置されている。また、撮影装置６２は、図８に示す認証情報管理表を保持している。認証情報管理表は、「ＩＤ」「個人識別子」を有するレコードを１以上管理している。「個人識別子」は、無線タグに格納されている個人識別の情報である。
【００７６】
かかる状態において、通常、撮影装置６２は、常時、映像を撮影し、情報処理装置６３に送信している。また、情報処理装置６３は、受信した映像を蓄積している。
【００７７】
また、個人識別子「１２３４」が格納されている無線タグが貼付された個人識別子格納装置１１（携帯電話）を、あるユーザが保持している。そして、撮影装置６２は、無線タグリーダーを具備する。
【００７８】
かかる場合、このユーザが撮影装置６２に近づくと、撮影装置６２は、個人識別子「１２３４」を取得する。そして、撮影装置６２は、認証を開始する。つまり、撮影装置６２は、図８の認証情報管理表に個人識別子「１２３４」が管理されているか否かを判断する。図８の認証情報管理表は、個人識別子「１２３４」を保持する。したがって、撮影装置６２は、認証結果情報「許可」を得る。
【００７９】
次に、撮影装置６２は、撮影した映像をモザイク処理する。そして、モザイク処理した映像を情報処理装置６３に送信する。
【００８０】
次に、情報処理装置６３は当該モザイク処理された映像を受信し、蓄積する。なお、個人識別子を取得しなくなった場合、または、取得した個人識別子が登録された個人識別子でない場合には、撮影装置６２は、通常の映像を情報処理装置６３に送信する。
【００８１】
以上、本実施の形態によれば、個人認証によって、撮影装置が撮影する映像を変化させることができ、個人のプライバシーや肖像権が保護され得る。
【００８２】
なお、本実施の形態における撮影装置を実現するソフトウェアは、以下のようなプログラムである。つまり、このプログラムは、コンピュータに、個人識別子を受信する個人識別子受信ステップと、当該個人識別子を認証する認証ステップと、撮影された映像を送信する映像送信ステップと、認証ステップにおける認証結果に基づいて映像の撮影を制御する制御ステップを実行させるためのプログラム、である。
【発明の効果】
本発明によれば、個人のプライバシーや肖像権が保護され得る。
【図面の簡単な説明】
【図１】実施の形態１、実施の形態２における情報処理システムの概念図
【図２】実施の形態１における情報処理システムのブロック図
【図３】実施の形態１における撮影装置の動作について説明するフローチャート
【図４】実施の形態１における情報処理装置の動作について説明するフローチャート
【図５】実施の形態１における認証情報管理表を示す図
【図６】実施の形態２における情報処理システムのブロック図
【図７】実施の形態２における撮影装置の動作について説明するフローチャート
【図８】実施の形態２における認証情報管理表を示す図
【符号の説明】
１１  個人識別子格納装置
１２、６２  撮影装置
１３、６２  情報処理装置
１１０１  個人識別子格納部
１１０２  個人識別子送信部
１２０１  映像撮影部
１２０２  個人識別子取得部
１２０３  第二個人識別子送信部
１２０４  認証結果情報取得部
１２０５、６２０３  制御部
１２０６  映像送信部
１３０１  個人識別子受信部
１３０２、６２０１  認証情報格納部
１３０３、６２０２  認証部
１３０４  認証結果情報送信部
１３０５  映像受信部
１３０６  映像蓄積部
【図１】
2004274447.tif 000003
【図２】
2004274447.tif 000004
【図３】
2004274447.tif 000005
【図４】
2004274447.tif 000006
【図５】
2004274447.tif 000007
【図６】
2004274447.tif 000008
【図７】
2004274447.tif 000009
【図８】
2004274447.tif 000010